(57)【要約】【課題】  飲んだアルコールの量を簡易且つ正確に検知することができると共に、本来の通話機能に支障を及ぼすことなく安価に製造可能なアルコール検知機能を備えた携帯電話機を提供することである。【解決手段】  電話機本体２と、この電話機本体２にアルコール検出装置を備えた携帯電話機１であって、前記アルコール検出装置は、前記電話機本体２に内蔵されるアルコール検出ユニットと、前記電話機本体２のケース３から延びる筒状の呼気導入部４とを備え、この呼気導入部４は、一端がケース３に対して回転可能な自在継手（連結部７）によって支持され、他端に被験者の息を吹き込む吹込口６を備えた。【選択図】      図１
2005072765.tif 000002
【特許請求の範囲】
【請求項１】
電話機本体と、この電話機本体にアルコール検出装置を備えた携帯電話機であって、
前記アルコール検出装置は、前記電話機本体に内蔵されるアルコール検出ユニットと、
前記電話機本体のケースから延びる筒状の呼気導入部とで構成されたことを特徴とする携帯電話機。
【請求項２】
前記呼気導入部は、一端がケースに対して回転可能な自在継手によって支持され、他端に被験者の息を吹き込む吹込口を備えた請求項１記載の携帯電話機。
【請求項３】
前記呼気導入部は、中間部に折曲げ可能な伸縮部を設けた請求項１または２記載の携帯電話機。
【請求項４】
前記ケースの外周の何れかの面に前記呼気導入部を収納する凹部を設けた請求項１乃至３のいずれかに記載の携帯電話機。
【請求項５】
前記呼気導入部は、径の異なる複数の筒状部材を互いに摺動自在に連結して伸縮可能に形成した請求項１または２記載の携帯電話機。
【請求項６】
電話機本体と、この電話機本体にアルコール検出装置を備えた携帯電話機であって、
前記アルコール検出装置は、前記電話機本体に内蔵されるアルコール検出ユニットと、
前記電話機本体のケースに設けられる呼気吸引孔と、
この呼気吸引孔に一端が着脱自在に取り付けられ、他端にテーパ状に広がる吹込口を有する呼気導入部とを備えたことを特徴とする携帯電話機。
【請求項７】
前記アルコール検出ユニットは、前記呼気導入部から導入した被験者の呼気中に含まれるアルコール成分を検知するアルコール検知センサ及びアルコール濃度判定部を備え、検出されたアルコール濃度を電話機本体に備える表示部及び放音部のいずれかによって知らせる請求項１または６記載の携帯電話機。
【請求項８】
前記アルコール濃度を複数段階のレベルに変換して表示または音で通知する請求項７記載の携帯電話機。
【発明の詳細な説明】
【技術分野】
【０００１】
本発明は、通常の通話機能を備えた電話機本体にアルコール検出機能を付加した携帯電話機に関するものである。
【背景技術】
【０００２】
近年、道路交通法の改正に伴って飲酒運転が厳しく取り締まりされるようになってきている。当然、飲酒した状態で車の運転を行うことは、絶対に慎まなければならないが、酔いから醒めたと思って運転を開始する際や、運転以外に自分が飲んだアルコールの種類や量、あるいは経過時間によって、どの程度のアルコール分が残っているか知りたい場合がある。例えば、検出されたアルコール濃度を見て飲み過ぎに注意するよう自己管理に利用したり、人と会う際にアルコール臭を自覚して相手に失礼のないように注意するため等である。従来、このようなアルコール検出器は、装置が大掛かりであると共に、高価であるため一般には使用されていなかった。
【０００３】
ところで、居場所を問わずいつでも通話することができる携帯電話機は、近年急速に広がりを見せると共に、小型化及び薄型化が図られ、本来の通話以外の機能もいろいろ付加されるようになってきている。このような付加機能として、前述したようなアルコール検出機能を備えた携帯電話機が考えられている（特許文献１、特許文献２参照）。このような常時携帯する携帯電話機に前記アルコール検出機能を組み込むことで、いつでも気軽に飲んだアルコールの濃度を測ることができる。
【特許文献１】特開２００１−３１３６９６号公報
【特許文献２】特開２００３−１１５９０２号公報
【発明の開示】
【発明が解決しようとする課題】
【０００４】
しかしながら、上記特許文献１及び特許文献２に開示されているアルコール検出機能付携帯電話機は、携帯電話機としての外観形状を保つと共に、検査をしやすくするために、呼気を検出する部分がマイク部と兼用する構造となっている。このため、吹きかけた呼気が外気と共に周囲に拡散してしまい、ケース内に内蔵されているアルコール濃度の検出センサに十分到達しない場合が考えられる。
【０００５】
また、本来の携帯電話機の機能あるいは外形を損なわずにアルコール検出機能や検出結果の送信機能、健康データ管理機能を付加するとなると、内部構成が複雑化して故障しやすくなると共に、製品コストが高くなるといった問題がある。
【０００６】
そこで、本発明の目的は、飲んだアルコールの量を簡易且つ正確に検知することができると共に、本来の通話機能に支障を及ぼすことなく安価に製造可能なアルコール検知機能を備えた携帯電話機を提供することである。
【課題を解決するための手段】
【０００７】
上記課題を解決するために、本発明の請求項１に係る携帯電話機は、電話機本体と、この電話機本体にアルコール検出装置を備えた携帯電話機であって、前記アルコール検出装置は、前記電話機本体に内蔵されるアルコール検出ユニットと、前記電話機本体のケースから延びる筒状の呼気導入部とで構成されたことを特徴とする。
【０００８】
この発明によれば、前記電話機本体に内蔵されたアルコール検出ユニットに対して被験者の息を導く呼気導入部が電話機本体のケースから延びる筒形状となっているため、口に咥えて息を吹きかけることができる。このため、被験者の呼気が外気と混ざり合うことなく直接前記アルコール検出ユニットに導入することができ、被験者の呼気中に含まれるアルコール成分の濃度を迅速かつ正確に測定することができる。
【０００９】
また、前記呼気導入部は、一端がケースに対して回転可能な自在継手によって支持されると共に、他端に被験者の息を吹き込む吹込口が設けられているので、前記吹込口をケースから自由な角度に傾けて使用することができる。これによって、電話機本体に被験者の顔の一部が接触することなくアルコール検出を行うことができる。
【００１０】
また、前記呼気導入部を電話機本体のケースに設けた凹部に収納可能な構成にすることによって、電話機本体を通常の通話あるいはメールとして使用する場合に邪魔にならず、機能性を損なうことがない。
【００１１】
また、前記呼気導入部を径の異なる複数の筒状部材を互いに摺動自在に連結して形成することで、所定の長さに伸縮させることができる。このため、楽な姿勢で被験者の口元まで延ばすことが可能となると共に、使用しない場合は小さく縮めておくことができる。これによって、ケースに設ける収納用の凹部の領域を狭くすることが可能となり、電話機自体の小型化及び薄型化が図られる。
【００１２】
また、本発明の請求項６に係る携帯電話機は、電話機本体と、この電話機本体にアルコール検出装置を備えた携帯電話機であって、前記アルコール検出装置は、前記電話機本体に内蔵されるアルコール検出ユニットと、前記電話機本体のケースに設けられる呼気吸引孔と、この呼気吸引孔に一端が着脱自在に取り付けられ、他端にテーパ状に広がる吹込口を有する呼気導入部とを備えたことを特徴とする。
【００１３】
この発明によれば、アルコール検出ユニットを内蔵した電話機本体に対して、被験者が息を吹き込む呼気導入部が別体で構成され、着脱可能となっているので、呼気導入部を外した場合は、通常の携帯電話機として使用でき、必要なときに呼気導入部を装着してアルコール検出機能を中心に使用することができる。また、前記呼気導入部が電話機本体に設けた呼気吸引孔から被験者の口元を覆うようにテーパ状に広がる吹込口を有しているので、吹きかけた息を漏らすことなく前記アルコール検出ユニット内にかけることができる。このため、アルコール濃度の検出精度が向上する。
【００１４】
また、前記アルコール検出ユニットには、アルコール検知センサやアルコール濃度判定部が備えられており、ここで検知及び判定されたアルコール濃度は、電話機本体に備えられている表示部や放音部によって被験者に知らせることができる。なお、前記表示部や放音部は、本来の電話機能としての通話表示や相手の声を発するために機能するが、切り替えることで、アルコール濃度やその判定レベルの表示手段や音声手段となり得る。
【発明の効果】
【００１５】
本発明の携帯電話機によれば、本来の通話機能に加えてアルコール検出機能を備えると共に、アルコールを検知するための呼気導入部が電話機本体から延び、若しくは着脱可能な構造となっているので、被験者が吐いた息を直接電話機本体に内蔵されているアルコール検出ユニットに導くことができる。これによって、飲んだアルコールの濃度がどのくらい残っているかが正確且つ迅速に測定可能となる。
【００１６】
また、前記呼気導入部が電話機本体のケースに対して回転可能に取り付けられると共にその先端が所定の長さに延びる構造になっているため、アルコールを飲んだ被験者の残存アルコール濃度を正確に知ることができ、車の運転をする際の判断がしやすくなる。
【００１７】
さらに、前記呼気導入部が電話機本体に設けた凹部に収納可能となっているため、アルコール検出機能を使用しない場合の通話やメール等の操作に支障を及ぼすおそれがない。
【発明を実施するための最良の形態】
【００１８】
本発明の携帯電話機は、通話あるいはメールといった通常の電話機に備えられている通信機能の他に、アルコール検出装置が備えられている。図１はこのようなアルコール検出装置を備えた第１実施形態の携帯電話機１を示したものである。この携帯電話機１におけるアルコール検出装置は、電話機本体２のケース３に取り付けられる呼気導入部４と、図２に示すような電話機本体２内に内蔵されているアルコール検知センサ１１、アルコール濃度判定部１２、出力制御部１３とからなるアルコール検出ユニット２０とで構成されている。なお、前記アルコール検出装置以外の部分は、通常の通話あるいはメールといった一般的な電話機としての機能を備えた部分であるので説明は省略する。ただし、電話番号やその他の文字を表示する液晶パネルで構成された表示部１４や相手の声やその他の音を発する放音部（スピーカ１５）は、前記出力制御部１３によって、アルコール検出装置と兼用される。
【００１９】
前記アルコール検出装置の構成要素である呼気導入部４は、前記電話機本体２内に組み込まれているアルコール検出ユニット２０のアルコール検知センサ１１に繋がる筒状の導入本体部５と、この導入本体部５の一端に被験者が口に咥えて息を吹きかける吹込口６、他端が前記ケース３に開設された検出孔８を覆うように回転可能に取り付けられる自在継手（連結部７）を備えた構成となっている。前記導入本体部５は、前記連結部７によってケース３の側面あるいは裏面から回転させた際に被験者が吹込口６を口に含みやすいように、長さが２０〜４０ｍｍ、外径が３〜１０ｍｍ程度に形成される。この呼気導入部４は、前記のケース３に設けた凹部９に収め、蓋９ａを被せて収納され、使用する際には前記蓋９ａを開き、凹部９から吹込口６側をケース３の側面あるいは背面側に突出させる。このような凹部９及び蓋９ａを設けることで、携帯電話機をポケットやバック等に収納する際に、呼気導入部４が邪魔にならず、また、引っ掛かりによる破損等を防止することができる。前記呼気導入部４は、通話操作の障害にならないように、電話機本体２の背面の下端側に設けるのが好ましい。また、吹込口６は口に含む部分であるため、埃の侵入や手等に触れるのを防止するため、使用しない場合はキャップ１０が装着される。
【００２０】
図３は、アルコール検出機能を備えた第２実施形態の携帯電話機２１を示したものである。この携帯電話機２１に備える呼気導入部２４は、中間部に折曲げ可能な伸縮継手（ベローズ）あるいは軟質性の樹脂またはゴム部材を用いた、例えば蛇腹状の伸縮部２５を配設したものである。このような伸縮部２５を設けることによって、連結部２７から所定方向に引き出された呼気導入部２４の吹込口２６をさらに被験者が咥えやすい方向に伸ばし、あるいは折り曲げて使用することができる。前記呼気導入部２４を収納する際は、前記伸縮部２５をまっすぐ伸ばして凹部２９に収め、蓋２９ａを被せる。
【００２１】
図４及び図５は、アルコール検出機能を備えた第３実施形態の携帯電話機３１を示したものである。この携帯電話機３１に備える呼気導入部３４は、呼気を送り込む導入本体部３５が径の異なる複数の筒状部材を互いに摺動自在に連結して形成され、ロッドアンテナのように伸縮自在としたものである。この呼気導入部３４は上記第１実施形態の呼気導入部４と同様に、一端には被験者が口に咥えて息を吹きかける吹込口３６、他端がケース３３に開設された検出孔３８の外周部に回転可能に取り付けられる自在継手（連結部３７）を備えた構成になっている。このように、導入本体部３５全体を伸縮自在にすることによって、アルコール検出機能を使用しない場合は、短くした状態でケース３３に収納することができる。このため、年々小型化する携帯電話機にも搭載可能になると共に、外観的な見栄えを損なうことがない。なお、この実施形態の呼気導入部３４も前記第１実施形態と同様に、通話操作の障害にならないように、電話機本体３２の背面の下端側に設けた凹部３９内に収められ、蓋３９ａが被せられる。また、前記吹込口３６は、埃の侵入や手等に触れるのを防止するため、使用しない場合はキャップ３０が装着される。
【００２２】
次に、上記図１に基づいて、呼気導入部４が連結される電話機本体２内の構成を説明する。図２に示したように、前記検出孔８近傍に配設されるアルコール検知センサ１１は、前記呼気導入部４を介して送られてきた呼気に含まれるアルコール成分が付着すると、その付着した濃度に応じて抵抗値が変化する抵抗体が用いられている。この抵抗体の抵抗値は、アルコール濃度判定部１２によって何段階かの濃度レベルに分けられる。この濃度レベルは、レベル０（アルコールが検出されない状態）から車の運転には危険な最大レベルまでの間で複数段階設定されている。
【００２３】
前記アルコール濃度判定部１２で判定された結果は、出力制御部１３を介してアルコール濃度の数値及びレベルが電話機本体２に備える液晶パネル等の表示部１４に表示される。また、スピーカ１５からは前記表示部１４に表示された内容を音声あるいはブザー音で発するようにすることもできる。なお、前記表示部１４やスピーカ１５は、呼気導入部４をケース３の凹部９から引き出す等の操作をした場合や、電話機本体２に設けられる切替スイッチ等によって、通常の通話用の表示や音声からからアルコール検出対応の表示あるいは音声モードに切り替えられるようにしてもよい。
【００２４】
また、電話機本体２の前面には電話やメールを操作するためのキーが配設されているが、そのうちのいくつかのキーは、アルコール検出の開始や終了を制御する機能や表示部１４あるいはスピーカ１５を切り替えるように予め設定することもできる。
【００２５】
また、電話機本体２に備える電話番号や着信時のメロディーを記憶するメモリの一部にアルコール検出した結果を記憶しておくようにすることも可能あり、このようにして記録されたデータの蓄積から被験者のアルコールに対する傾向を把握することもできる。
【００２６】
図６は上記第１実施形態の携帯電話機１によって、アルコール検出を行うときの様子を示したものである。被験者は、呼気導入部４の吹込口６側をケース３の側面あるいは背面方向のいずれか検査しやすい方向に回転させ、前記吹込口６をそのまま口に咥える。また、図７に示すような、第３実施形態の携帯電話機３１で検査する場合は、最初に呼気導入部３４の吹込口３６側をケース３３の側面あるいは背面方向のいずれか検査しやすい方向に回転させた後、前記吹込口３６をそのまま口に咥えるか、必要に応じて前記吹込口３６側を被験者の口元まで延ばす。このようにして、準備ができたところで、電話機本体の操作モードをアルコール検出モードに切り替えて、前記吹込口３６から息を数秒吹きかける。この吹きかけた呼気の中に含まれるアルコール成分を前記アルコール検出ユニット２０内で検知及び判定し、そのときのアルコール濃度と濃度レベルを表示部１４やスピーカ１５に伝達する。検査を終了する場合は、操作モードの切替スイッチを通常の通話モードに戻すと共に、前記回転あるいは引き出された呼気導入部３４を元の位置及び長さに縮めた上体で凹部３９内に収納する。
【００２７】
なお、本実施形態の携帯電話機では、通常の通話やメール機能とアルコール検出機能が独立して設けられているため、アルコール検出中であっても着信が入った場合にアルコール検出を中断して通話することが可能である。また、第１〜第３の実施形態においては呼気の吸込口を携帯電話機の裏面端部に設けたが、これに限定されるものではなく、携帯電話機の構成に支障がなければ裏面中央部等に設けることも可能である。
【００２８】
次に、上記第１実施形態乃至第３実施形態で示したような電話機本体２，２２，３２に一体形成された呼気導入部とは異なった第４実施形態の携帯電話機を図８及び図９に示す。この実施形態の携帯電話機４１は、電話機本体４２のケース４３の表面に予めアルコール検出用の検出孔４８を開設しておき、この検出孔４８に着脱可能な呼気導入部４４を別体で設けたものである。前記検出孔４８は、電話機本体４２に内蔵されているアルコール検知センサに通じるように設けられ、検出孔４８の外周には呼気導入部４４の下端部を嵌め込む溝部４９が形成されている。前記呼気導入部４４は、下端が前記溝部４９に嵌め込まれる突部４４ａが外周に形成された開口部となっており、上端が前記開口部から上方にテーパ状に広がる吹込口４４ｂを備えた構造となっている。アルコール検出を行う場合は、前記溝部４９に突部４４ａを嵌合して固定してから前記吹込口４４ｂに口を付けて息を吹きかける。そして、アルコール検出が終了した後、呼気導入部４４を検出孔４８から外す。通常の電話やメール機能を使用する場合は、前記検出孔４８を図示しない蓋体でカバーしておく。
【００２９】
また、図８及び図９に示した方法以外に、前記検出孔４８の外周及び呼気導入部４４の下端部にネジ溝を形成しておき、ねじ込むことによって、前記呼気導入部４４とケース４３とを着脱可能にすることもできる。
【００３０】
なお、前記呼気導入部４４は検出孔４８に隙間なく嵌合するものを使用した方がアルコール濃度を正確に測定する上で好ましいが、このような専用の呼気吸入部を使用せず簡易に測定したい場合は、直接前記検出孔４８に息を吹きかけて使用してもよい。
【００３１】
この実施形態の呼気導入部のように、口に付けたり、息を吹きつけられる部分を別体で備えることで、汚れた場合に容易に洗浄することが可能であると共に、破損等による交換が容易である。
【産業上の利用可能性】
【００３２】
本発明のアルコール検出機能を備えた携帯電話機は、アルコール濃度を検出して酔いの程度を簡易に判定することを目的としたが、電話機本体内に備えるセンサを変えることで、アルコール以外の口臭検査等の用途にも適用可能である。
【図面の簡単な説明】
【００３３】
【図１】アルコール検出用の呼気導入部を備えた第１実施形態の携帯電話機の斜視図である。
【図２】上記携帯電話機のアルコール検出機能の構成を示すブロック図である。
【図３】呼気導入部に伸縮部を設けた第２実施形態の携帯電話機の斜視図である。
【図４】伸縮可能な呼気導入部を備えた第３実施形態の携帯電話機の斜視図である。
【図５】上記伸縮可能な呼気導入部を延ばしたときの状態を示す斜視図である。
【図６】上記第１実施形態の携帯電話機によってアルコール検出を行う前の状態を示す説明図である。
【図７】上記第３実施形態の携帯電話機によって、アルコールを検出しているときの状態を示す説明図である。
【図８】着脱可能な呼気導入部を備えた第４実施形態の携帯電話機の斜視図である。
【図９】上記呼気導入部をケースに装着したときの断面図である。
【符号の説明】
【００３４】
１  携帯電話機
２  電話機本体
３  ケース
４  呼気導入部
６  吹込口
７  連結部
８  検出孔
９  凹部
１１  アルコール検知センサ
１２  アルコール濃度判定部
１４  表示部
１５  スピーカ（放音部）
２０  アルコール検出ユニット
２５  伸縮部
【図１】
2005072765.tif 000003
【図２】
2005072765.tif 000004
【図３】
2005072765.tif 000005
【図４】
2005072765.tif 000006
【図５】
2005072765.tif 000007
【図６】
2005072765.tif 000008
【図７】
2005072765.tif 000009
【図８】
2005072765.tif 000010
【図９】
2005072765.tif 000011